(57)【要約】【課題】  使用感に優れたポケットティッシュ格納箱を提供すること。【解決手段】  ポケットティッシュ格納箱１０であって、２つの外箱４０は内箱２０に対し、それらの蓋板部４４が内箱２０の開口部２０Ａを開く開き位置と、該開口部２０Ａを閉じる閉じ位置の間で移動でき、２つの外箱４０が開き位置に設定されたとき、それらの蓋板部４４の外縁４４Ａが内箱２０の開口部２０Ａに臨むポケットティッシュ１の袋２の一面の両端部のそれぞれを覆い、ポケットティッシュ１の袋２の一面の両端部を除く全面が外界に開放されるもの。【選択図】  図１
0003135947.tif 000002
【実用新案登録請求の範囲】
【請求項１】
ポケットティッシュが平置き状態で収容され、ポケットティッシュの袋のティッシュ取出口を備える一面が臨む開口部を備える内箱と、
内箱の開口部を挟む両側から該内箱に外挿され、内箱の開口部を開閉する蓋板部を備える２つの外箱とを有するポケットティッシュ格納箱であって、
２つの外箱は内箱に対し、それらの蓋板部が内箱の開口部を開く開き位置と、該開口部を閉じる閉じ位置の間で移動でき、
２つの外箱が開き位置に設定されたとき、それらの蓋板部の外縁が内箱の開口部に臨むポケットティッシュの袋の一面の両端部のそれぞれを覆い、ポケットティッシュの袋の一面の両端部を除く全面が外界に開放されるポケットティッシュ格納箱。
【請求項２】
前記２つの外箱が閉じ位置に設定されたとき、それらの蓋板部の外縁が互いに重なり合うように設けられる請求項１に記載のポケットティッシュ格納箱。
【請求項３】
ポケットティッシュが平置き状態で収容され、ポケットティッシュの袋のティッシュ取出口を備える一面が臨む開口部を備えるとともに、開口部の一側に設けられて該開口部に臨むポケットティッシュの袋の一面の一端部を覆う張出部を備える内箱と、
内箱の開口部の他側から該内箱に外挿され、内箱の開口部を開閉する蓋板部を備える外箱とを有するポケットティッシュ格納箱であって、
外箱は内箱に対し、蓋板部が内箱の開口部を開く開き位置と、該開口部を閉じる閉じ位置の間で移動でき、
外箱が開き位置に設定されたとき、蓋板部の外縁が内箱の開口部に臨むポケットティッシュの袋の一面の他端部を覆い、ポケットティッシュの袋の一面の両端部を除く全面が外界に開放されるポケットティッシュ格納箱。
【請求項４】
前記外箱が閉じ位置に設定されたとき、蓋板部の外縁が内箱の張出部に重なり合うように設けられる請求項３に記載のポケットティッシュ格納箱。
【請求項５】
前記外箱と内箱のそれぞれが、外箱が内箱に対して閉じ位置の側から開き位置の側に移動する方向で、外箱の開き方向移動限を規制するように互いに係合し合うストッパ部を備える請求項１〜４のいずれかに記載のポケットティッシュ格納箱。
【考案の詳細な説明】
【技術分野】
【０００１】
本考案はポケットティッシュ格納箱に関する。
【背景技術】
【０００２】
企業等の広告が表示されたポケットティッシュが街頭等で無料配布されているものの、このようなポケットティッシュは未使用のまま捨てられたり、家庭内に放置されがちである。
【０００３】
従来、ポケットティッシュの利用を促進するポケットティッシュ格納箱として、特許文献１に記載の如く、ポケットティッシュが平置き状態で収容される紙製の箱が提案されている。この箱は、ポケットティッシュの袋のティッシュ取出口を備える一面の両端部を覆う両側の固定蓋と、両側の固定蓋の間で、ポケットティッシュの上記一面のティッシュ取出口が位置する中央部を覆う開閉蓋とを箱本体の上面に備える。開閉蓋は、箱本体の背面板にヒンジ結合されて開閉でき、箱本体の正面板に設けたスリットに挿入される舌部を用いて閉成される。開閉蓋を開いたとき、ポケットティッシュの袋のティッシュ取出口から１枚のペーパーをつまみ上げると、ポケットティッシュの袋の両端部が両側の固定蓋に覆われていて制止され、そのペーパーを袋から取出しできる。
【特許文献１】実登録第2500301号
【考案の開示】
【考案が解決しようとする課題】
【０００４】
特許文献１のポケットティッシュ格納箱には以下の問題点がある。
(1)紙製の箱の開閉蓋が背面板にヒンジ結合されてなるものであり、ペーパーの取り出し時に、使用者は一方の手で開閉蓋を閉じないように開き位置に保持し、他方の手でペーパーをつまみ上げる必要があり、片手で取り出し操作できない。
【０００５】
(2)ポケットティッシュの不使用時に、開閉蓋は箱本体の背面板に対し閉じ側にヒンジ回転され、箱本体の正面板に設けたスリットに舌部を挿入されて閉成されるに過ぎない。従って、開閉蓋をこのように閉成しても、箱の外観から安定した密閉感を得ることに困難がある。
【０００６】
(3)両側の固定蓋に挟まれる開閉蓋の大きさは箱本体の上面の面積の1/3〜1/2程度とされ、開閉蓋の開き状態で外界に開放されるポケットティッシュの表面積は小さい。ポケットティッシュの全面に表示した企業等の広告を使用者に広く視認させることができない。
【０００７】
(4)開閉蓋の開き状態で外界に開放されるポケットティッシュの表面積が上述(3)の如くに小さく、箱本体にポケットティッシュを収容した後では、両側の固定蓋の存在が障害になり、その袋のティッシュ取出口を大きく開封することができない。従って、ポケットティッシュの袋のティッシュ取出口は、ポケットティッシュを箱本体に装填する前から予め開封しておく必要があり、煩雑で使い勝手が悪い。
【０００８】
本考案の課題は、使用感に優れたポケットティッシュ格納箱を提供することにある。
【課題を解決するための手段】
【０００９】
請求項１の考案は、ポケットティッシュが平置き状態で収容され、ポケットティッシュの袋のティッシュ取出口を備える一面が臨む開口部を備える内箱と、内箱の開口部を挟む両側から該内箱に外挿され、内箱の開口部を開閉する蓋板部を備える２つの外箱とを有するポケットティッシュ格納箱であって、２つの外箱は内箱に対し、それらの蓋板部が内箱の開口部を開く開き位置と、該開口部を閉じる閉じ位置の間で移動でき、２つの外箱が開き位置に設定されたとき、それらの蓋板部の外縁が内箱の開口部に臨むポケットティッシュの袋の一面の両端部のそれぞれを覆い、ポケットティッシュの袋の一面の両端部を除く全面が外界に開放されるようにしたものである。
【００１０】
請求項２の考案は、請求項１の考案において更に、前記２つの外箱が閉じ位置に設定されたとき、それらの蓋板部の外縁が互いに重なり合うように設けられるようにしたものである。
【００１１】
請求項３の考案は、ポケットティッシュが平置き状態で収容され、ポケットティッシュの袋のティッシュ取出口を備える一面が臨む開口部を備えるとともに、開口部の一側に設けられて該開口部に臨むポケットティッシュの袋の一面の一端部を覆う張出部を備える内箱と、内箱の開口部の他側から該内箱に外挿され、内箱の開口部を開閉する蓋板部を備える外箱とを有するポケットティッシュ格納箱であって、外箱は内箱に対し、蓋板部が内箱の開口部を開く開き位置と、該開口部を閉じる閉じ位置の間で移動でき、外箱が開き位置に設定されたとき、蓋板部の外縁が内箱の開口部に臨むポケットティッシュの袋の一面の他端部を覆い、ポケットティッシュの袋の一面の両端部を除く全面が外界に開放されるようにしたものである。
【００１２】
請求項４の考案は、請求項３の考案において更に、前記外箱が閉じ位置に設定されたとき、蓋板部の外縁が内箱の張出部に重なり合うように設けられるようにしたものである。
【００１３】
請求項５の考案は、請求項１〜４のいずれかの考案において更に、前記外箱と内箱のそれぞれが、外箱が内箱に対して閉じ位置の側から開き位置の側に移動する方向で、外箱の開き方向移動限を規制するように互いに係合し合うストッパ部を備えるようにしたものである。
【考案の効果】
【００１４】
（請求項１）
(a)２つの外箱を内箱の開口部を挟む両側から該内箱に外挿し、２つの外箱の蓋板部が内箱の開口部を開く開き位置と、該開口部を閉じる閉じ位置との間で移動するものである。従って、外箱を開き位置に設定した後には、蓋板部が内箱の開口部を開き続け、使用者は片手でペーパーを取り出し操作できる。
【００１５】
(b)ポケットティッシュの不使用時に、２つの外箱が内箱に外挿された状態でそれらの蓋板部が内箱の開口部を閉じる閉じ位置に設定される。内箱に外挿された外箱が内箱の開口部を安定的かつ確実に閉じるから、格納箱の外観から箱の安定した密閉感を得ることができる。
【００１６】
(c)外箱が開き位置に設定されたとき、ポケットティッシュの袋の一面の両端部を除く全面が外界に広く開放される。従って、ポケットティッシュの全面に表示した企業等の広告を使用者に広く視認させることができる。
【００１７】
(d)外箱が開き位置に設定されたとき、ポケットティッシュの袋の一面の両端部を除く全面が外界に広く開放されるから、内箱にポケットティッシュを収容した後でもその袋のティッシュ取出口を大きく開封できる。従って、ポケットティッシュの袋のティッシュ取出口は、ポケットティッシュを内箱に装填する前から予め開封しておく必要がない。
【００１８】
（請求項２）
(e)２つの外箱が閉じ位置に設定されたとき、それらの蓋板部の外縁が互いに重なり合うように設けられる。これにより、ポケットティッシュの不使用時における格納箱の密閉性を向上できる。
【００１９】
（請求項３）
(f)外箱を内箱の開口部の一側の張出部に対する他側から該内箱に外挿し、外箱の蓋板部が内箱の開口部を開く開き位置と、該開口部を閉じる閉じ位置との間で移動するものである。従って、外箱を開き位置に設定した後には、蓋板部が内箱の開口部を開き続け、使用者は片手でペーパーを取り出し操作できる。
【００２０】
(g)ポケットティッシュの不使用時に、外箱が内箱に外挿された状態で蓋板部が内箱の開口部を閉じる閉じ位置に設定される。内箱に外挿された外箱が内箱の開口部を安定的かつ確実に閉じるから、格納箱の外観から箱の安定した密閉感を得ることができる。
【００２１】
(h)外箱が開き位置に設定されたとき、ポケットティッシュの袋の一面の両端部を除く全面が外界に広く開放される。従って、ポケットティッシュの全面に表示した企業等の広告を使用者に広く視認させることができる。
【００２２】
(i)外箱が開き位置に設定されたとき、ポケットティッシュの袋の一面の両端部を除く全面が外界に広く開放されるから、内箱にポケットティッシュを収容した後でもその袋のティッシュ取出口を大きく開封できる。従って、ポケットティッシュの袋のティッシュ取出口は、ポケットティッシュを内箱に装填する前から予め開封しておく必要がない。
【００２３】
（請求項４）
(j)外箱が閉じ位置に設定されたとき、蓋板部の外縁が内箱の張出部に重なり合うように設けられる。これにより、ポケットティッシュの不要時における格納箱の密閉性を向上できる。
【００２４】
（請求項５）
(k)外箱と内箱のそれぞれが、外箱の開き方向移動限を規制するように互いに係合し合うストッパ部を備える。従って、外箱を開き位置の側に移動するとき、外箱が内箱から外れることなく確実に開き位置に設定される。
【考案を実施するための最良の形態】
【００２５】
図１は実施例１のポケットティッシュ格納箱のペーパー取出し状態を示す模式斜視図、図２はポケットティッシュ格納箱の開き状態を示す模式斜視図、図３はポケットティッシュ格納箱の閉じ状態を示す模式斜視図、図４はポケットティッシュ格納箱の開き状態を一部破断して示す模式側面図、図５はポケットティッシュ格納箱の閉じ状態を一部破断して示す模式側面図、図６は内箱を示し、（Ａ）は展開図、（Ｂ）は斜視図、図７は中箱を示し、（Ａ）は展開図、（Ｂ）は斜視図、図８は外箱を示し、（Ａ）は展開図、（Ｂ）は斜視図、図９は実施例２のポケットティッシュ格納箱のペーパー取出し状態を示す模式斜視図である。
【実施例】
【００２６】
（実施例１）（図１〜図８）
図１〜図５に示したポケットティッシュ格納箱１０は、ポケットティッシュ１を格納し、企業等の広告が表示されたポケットティッシュ１の袋２に包装されているペーパー３を取り出し可能にするものである。ポケットティッシュ１の外寸は例えば縦7〜8cm、横10〜11cm、厚み1cmである。袋２は、表面の中央線に沿って一端側から他端側に設けられているミシン目を開封することにより、ティッシュ取出口２Ａとする。
【００２７】
ポケットティッシュ格納箱１０は、紙製内箱２０と、内箱２０の内面に嵌め込まれて内箱２０に一体化される紙製中箱３０と、内箱２０に外挿される左右２つの紙製外箱４０とを有する。尚、図４、図５では、中箱３０の図示を省略してある。
【００２８】
内箱２０は、複数のポケットティッシュ１が積層された平置き状態で収容され、ポケットティッシュ１の袋２のティッシュ取出口２Ａを備える一面が臨む開口部２０Ａを備える。本実施例では、内箱２０が中箱３０を嵌め込んで備え、ポケットティッシュ１は直接的には中箱３０に収容される。
【００２９】
尚、内箱２０は、図６に示す如く、正面板２１、背面板２２、底板２３、左右の側板２４、２４を備える。正面板２１は内折りフラップ２５、２５、背面板２２は内折りフラップ２６、２６、底板２３は内折りフラップ２７、２７及び糊付フラップ２８を備える。各側板２４は、外側板２４Ａ、上面板２４Ｂ、内側板２４Ｃ、底敷板２４Ｄを有し、これらが図６(Ｂ)に示す如くの角袋状をなすように折り込まれる。外側板２４Ａは正面板２１、背面板２２とともに内箱２０の外面を形成し、上面板２４Ｂは正面板２１と背面板２２の上縁と同レベルをなす幅広上面を形成し、内側板２４Ｃは正面板２１、背面板２２とともに開口部２０Ａを区画して形成し、外敷板２４Ｄは底板２３に敷き設けられる。各側板２４の外側板２４Ａに連設されている舌片板２４Ｅは底板２３の下側に折り込まれて後述のストッパ部５１を形成する。正面板２１と背面板２２は、それらの下縁の長手方向に沿う２箇所を下方に突出させた脚部２１Ａ、２２Ａとする。
【００３０】
また、中箱３０は、図７に示す如く、Ｕ字折込状中正面板３１、Ｕ字折込状中背面板３２、中底板３３、左右の中側板３４、３４を備える。中正面板３１、中背面板３２のそれぞれは、Ｕ字折込みの中間部を幅広の上面板３１Ａ、３２Ａとする。中箱３０は内箱２０の正面板２１、背面板２２、側板２４の内側板２４Ｃの内面に沿うように嵌め込まれて底板２３の上に装填され、中箱３０の上面板３１Ａ、３２Ａを内箱２０の上面板２４Ｂと同レベルに設定する。前述の開口部２０Ａは、正確には、中箱３０の中正面板３１、中背面板３２、中側板３４、３４の各内面により区画されるものになる。
【００３１】
２つの外箱４０は、内箱２０の開口部２０Ａを挟む両側から内箱２０の外周に外挿され、内箱２０の開口部２０Ａを開閉する蓋板部としての蓋板４４を備える。
【００３２】
尚、外箱４０は、図８に示す如く、正面板４１、背面板４２、底板４３、蓋板４４（蓋板部）、側板４５を備える。正面板４１は内折りフラップ４６、背面板４２は内折りフラップ４７、底板４３は糊付フラップ４８、側板４５は内折りフラップ４９を備える。底板４３に連設されている舌片板４３Ａは底板４３の内側に折り込まれて後述のストッパ部５２を形成する。
【００３３】
しかるに、ポケットティッシュ格納箱１０において、２つの外箱４０、４０は内箱２０に対し、それらの蓋板４４が内箱２０の開口部２０Ａを開く開き位置（図１、図２、図４）と、開口部２０Ａを閉じる閉じ位置（図３、図５）の間で移動できる。そして、２つの外箱４０、４０が開き位置に設定されたとき、それらの蓋板４４の外縁４４Ａが内箱２０の開口部２０Ａに臨むポケットティッシュ１の袋２の一面の両端部のそれぞれを上から覆い、ポケットティッシュ１の袋２の一面の両端部を除く全面（ポケットティッシュ１の袋２の一面の面積の例えば9/10〜6/10程度）が外界に開放される。
【００３４】
また、２つの外箱４０、４０が閉じ位置に設定されたとき、それらの蓋板４４の外縁４４Ａが互いに重なり合うように設けられる。本実施例において、蓋板４４の外縁４４Ａは、外縁４４Ａの幅方向の中央部が突出する中高の円弧状をなす。
【００３５】
また、内箱２０と外箱４０のそれぞれが、外箱４０が内箱２０に対して閉じ位置（図５）の側から開き位置（図４）の側に移動する方向で、外箱４０の開き方向移動限を規制するように互いに係合し合うストッパ部５１、５２を備える。内箱２０のストッパ部５１は、左右の外側板２４Ａに連設されていて、底板２３の下側に折り込まれる舌片板２４Ｅにて形成される。外箱４０のストッパ部５２は、底板４３に連設されていて、底板４３の内側に折り込まれる舌片板４３Ａにて形成される。
【００３６】
尚、ポケットティッシュ格納箱１０において、２つの外箱４０、４０が内箱２０に対し前述の開き位置と閉じ位置の間で移動するとき、外箱４０の正面板４１、背面板４２、底板４３、蓋板４４のそれぞれが内箱２０の正面板２１、背面板２２、底板２３、上面板２４Ｂ、中箱３０の上面板３１Ａ、３２Ａのそれぞれにガイドされて摺動する。このとき、外箱４０の蓋板４４は内箱２０の幅広の上面板２４Ｂ、中箱３０の幅広の上面板３１Ａ、３２Ａにガイドされて安定的に摺動できる。また、外箱４０の底板４３が内箱２０の正面板２１と背面板２２の脚部２１Ａ、２２Ａにガイドされ、外箱４０の側板４５の内折りフラップ４９が内箱２０に対する閉じ位置側で該内箱２０の底部に干渉することを回避し、この干渉によって側板４５が外方へ押し出されるのを防止できる。
【００３７】
本実施例によれば以下の作用効果を奏する。
(a)２つの外箱４０を内箱２０の開口部２０Ａを挟む両側から該内箱２０に外挿し、２つの外箱４０の蓋板４４が内箱２０の開口部２０Ａを開く開き位置と、該開口部２０Ａを閉じる閉じ位置との間で移動するものである。従って、外箱４０を開き位置に設定した後には、蓋板４４が内箱２０の開口部２０Ａを開き続け、使用者は片手でペーパー３を取り出し操作できる。
【００３８】
(b)ポケットティッシュ１の不使用時に、２つの外箱４０が内箱２０に外挿された状態でそれらの蓋板４４が内箱２０の開口部２０Ａを閉じる閉じ位置に設定される。内箱２０に外挿された外箱４０が内箱２０の開口部２０Ａを安定的かつ確実に閉じるから、格納箱１０の外観から箱の安定した密閉感を得ることができる。
【００３９】
(c)外箱４０が開き位置に設定されたとき、ポケットティッシュ１の袋２の一面の両端部を除く全面が外界に広く開放される。従って、ポケットティッシュ１の全面に表示した企業等の広告を使用者に広く視認させることができる。
【００４０】
(d)外箱４０が開き位置に設定されたとき、ポケットティッシュ１の袋２の一面の両端部を除く全面が外界に広く開放されるから、内箱２０にポケットティッシュ１を収容した後でもその袋２のティッシュ取出口２Ａを大きく開封できる。従って、ポケットティッシュ１の袋２のティッシュ取出口２Ａは、ポケットティッシュ１を内箱２０に装填する前から予め開封しておく必要がない。
【００４１】
(e)２つの外箱４０が閉じ位置に設定されたとき、それらの蓋板４４の外縁４４Ａが互いに重なり合うように設けられる。これにより、ポケットティッシュ１の不使用時における格納箱１０の密閉性を向上できる。
【００４２】
(f)外箱４０と内箱２０のそれぞれが、外箱４０の開き方向移動限を規制するように互いに係合し合うストッパ部５１、５２を備える。従って、外箱４０を開き位置の側に移動するとき、外箱４０が内箱２０から外れることなく確実に開き位置に設定される。
【００４３】
（実施例２）（図９）
実施例２のポケットティッシュ格納箱１０が実施例１のポケットティッシュ格納箱１０と異なる点は、内箱２０の開口部２０Ａの一側の側板２４の上面に張出部６１を設けるとともに、単一で長尺の外箱４０を用いたことにある。
【００４４】
即ち、ポケットティッシュ格納箱１０は、ポケットティッシュ１が平置き状態で収容され、ポケットティッシュ１の袋２のティッシュ取出口２Ａを備える一面が臨む開口部２０Ａを備えるとともに、開口部２０Ａの一側に設けられて開口部２０Ａに臨むポケットティッシュ１の袋２の一面の一端部を覆う張出部６１を備える内箱２０と、内箱２０の開口部２０Ａの他側から内箱２０に外挿され、内箱２０の開口部２０Ａを開閉する蓋板４４（蓋板部）を備える外箱４０とを有する。尚、内箱２０は、実施例１と同様に、中箱３０を嵌め込まれて一体化されている。
【００４５】
そして、ポケットティッシュ格納箱１０にあっては、外箱４０が内箱２０に対し、蓋板４４が内箱２０の開口部２０Ａを開く開き位置と、開口部２０Ａを閉じる閉じ位置の間で移動できる。外箱４０が開き位置に設定されたとき、蓋板４４の外縁４４Ａが内箱２０の開口部２０Ａに臨むポケットティッシュ１の袋２の一面の他端部を覆い、ポケットティッシュ１の袋２の一面の両端部を除く全面が外界に開放される。
【００４６】
また、ポケットティッシュ格納箱１０にあっては、外箱４０が閉じ位置に設定されたとき、蓋板４４の外縁４４Ａが内箱２０の張出部６１に重なり合うように設けられる。蓋板４４の外縁４４Ａと、内箱２０の張出部６１の外縁６１Ａは、それらの幅方向の中央部が突出する中高の円弧状をなす。
【００４７】
また、ポケットティッシュ格納箱１０にあっては、実施例１と同様に、内箱２０と外箱４０のそれぞれが、外箱４０が内箱２０に対して閉じ位置の側から開き位置の側に移動する方向で、外箱４０の開き方向移動限を規制するように互いに係合し合うストッパ部５１、５２を備える。
【００４８】
本実施例によれば以下の作用効果を奏する。
(a)外箱４０を内箱２０の開口部２０Ａの一側の張出部６１に対する他側から該内箱２０に外挿し、外箱４０の蓋板４４が内箱２０の開口部２０Ａを開く開き位置と、該開口部２０Ａを閉じる閉じ位置との間で移動するものである。従って、外箱４０を開き位置に設定した後には、蓋板４４が内箱２０の開口部２０Ａを開き続け、使用者は片手でペーパー３を取り出し操作できる。
【００４９】
(b)ポケットティッシュ１の不使用時に、外箱４０が内箱２０に外挿された状態で蓋板４４が内箱２０の開口部２０Ａを閉じる閉じ位置に設定される。内箱２０に外挿された外箱４０が内箱２０の開口部２０Ａを安定的かつ確実に閉じるから、格納箱１０の外観から箱の安定した密閉感を得ることができる。
【００５０】
(c)外箱４０が開き位置に設定されたとき、ポケットティッシュ１の袋２の一面の両端部を除く全面が外界に広く開放される。従って、ポケットティッシュ１の全面に表示した企業等の広告を使用者に広く視認させることができる。
【００５１】
(d)外箱４０が開き位置に設定されたとき、ポケットティッシュ１の袋２の一面の両端部を除く全面が外界に広く開放されるから、内箱２０にポケットティッシュ１を収容した後でもその袋２のティッシュ取出口２Ａを大きく開封できる。従って、ポケットティッシュ１の袋２のティッシュ取出口２Ａは、ポケットティッシュ１を内箱２０に装填する前から予め開封しておく必要がない。
【００５２】
(e)外箱４０が閉じ位置に設定されたとき、蓋板４４の外縁４４Ａが内箱２０の張出部６１に重なり合うように設けられる。これにより、ポケットティッシュ１の不要時における格納箱１０の密閉性を向上できる。
【００５３】
(f)外箱４０と内箱２０のそれぞれが、外箱４０の開き方向移動限を規制するように互いに係合し合うストッパ部５１、５２を備える。従って、外箱４０を開き位置の側に移動するとき、外箱４０が内箱２０から外れることなく確実に開き位置に設定される。
【００５４】
以上、本考案の実施例を図面により詳述したが、本考案の具体的な構成はこの実施例に限られるものではなく、本考案の要旨を逸脱しない範囲の設計の変更等があっても本考案に含まれる。
【図面の簡単な説明】
【００５５】
【図１】図１は実施例１のポケットティッシュ格納箱のペーパー取出し状態を示す模式斜視図である。
【図２】図２はポケットティッシュ格納箱の開き状態を示す模式斜視図である。
【図３】図３はポケットティッシュ格納箱の閉じ状態を示す模式斜視図である。
【図４】図４はポケットティッシュ格納箱の開き状態を一部破断して示す模式側面図である。
【図５】図５はポケットティッシュ格納箱の閉じ状態を一部破断して示す模式側面図である。
【図６】図６は内箱を示し、（Ａ）は展開図、（Ｂ）は斜視図である。
【図７】図７は中箱を示し、（Ａ）は展開図、（Ｂ）は斜視図である。
【図８】図８は外箱を示し、（Ａ）は展開図、（Ｂ）は斜視図である。
【図９】図９は実施例２のポケットティッシュ格納箱のペーパー取出し状態を示す模式斜視図である。
【符号の説明】
【００５６】
１  ポケットティッシュ
２  袋
２Ａ  ティッシュ取出口
１０  ポケットティッシュ格納箱
２０  内箱
２０Ａ  開口部
４０  外箱
４４  蓋板（蓋板部）
４４Ａ  外縁
５１、５２  ストッパ部
６１  張出部
【図１】
0003135947.tif 000003
【図２】
0003135947.tif 000004
【図３】
0003135947.tif 000005
【図４】
0003135947.tif 000006
【図５】
0003135947.tif 000007
【図６】
0003135947.tif 000008
【図７】
0003135947.tif 000009
【図８】
0003135947.tif 000010
【図９】
0003135947.tif 000011